(57)【要約】【課題】  連結された外部機器から入力される複数の映像信号を変調し復調してシリアル高速通信で送信することによって、信号線を簡素化することができて距離制約から自由になることができるディスプレイ装置を提供する。【解決手段】  本発明によるディスプレイ装置は複数の映像信号を受信する信号受信部と；複数の映像信号を変調して一つの統合信号で出力する信号変調部と；前記信号変調部から出力される統合信号を受信して前記複数の映像信号に復調する信号復調部と；前記複数の映像信号を処理する映像処理部と；前記処理された映像信号の中で少なくとも一つに基づいて映像を表示するディスプレイ部と；を含む。【選択図】      図１
2014147061.tif 000002
【特許請求の範囲】
【請求項１】
ディスプレイ装置において、
複数の映像信号を受信する信号受信部および前記複数の映像信号を変調する信号変調部を含むデバイスから出力される統合信号を受信して前記複数の映像信号に復調する信号復調部と；
前記複数の映像信号を処理する映像処理部と；
前記処理された映像信号の中で少なくとも一つに基づいて映像を表示するディスプレイ部と；
を含むことを特徴とするディスプレイ装置。
【請求項２】
前記デバイスとケーブルを通じて連結されて前記統合信号を受信することを特徴とする請求項１に記載のディスプレイ装置。
【請求項３】
前記デバイスと無線で連結され、無線通信を通じて前記統合信号を受信することを特徴とする請求項１に記載のディスプレイ装置。
【請求項４】
前記統合信号はシリアル高速通信によって受信されることを特徴とする請求項２に記載のディスプレイ装置。
【請求項５】
前記信号復調部はシリアライザ／デシリアライザ（ＳｅｒＤｅｓ  ｃｈｉｐ）を含むことを特徴とする請求項１に記載のディスプレイ装置。
【請求項６】
前記ディスプレイ部は前記処理された複数の映像信号を同時に表示できることを特徴とする請求１項に記載のディスプレイ装置。
【請求項７】
ディスプレイ部を含むディスプレイ装置と連結されるデバイスにおいて、
複数の映像信号を受信する信号受信部；および
前記複数の映像信号を変調して一つの統合信号で出力する信号変調部と；を含み、
前記信号変調部によって出力された一つの統合信号は前記ティバイスと連結された前記ディスプレイ装置によって前記複数の映像信号に復調されることを特徴とするデバイス。
【請求項８】
前記ディスプレイ装置とケーブルを通じて連結されて、前記統合信号を送信することを特徴とする請求項７に記載のデバイス。
【請求項９】
前記ディスプレイ装置と無線で連結されて、無線通信を通じて前記統合信号を送信することを特徴とする請求項７に記載のデバイス。
【請求項１０】
前記統合信号はシリアル高速通信によって転送されることを特徴とする請求項８に記載のデバイス。
【請求項１１】
前記変調はシリアライザ／デシリアライザ（ＳｅｒＤｅｓ  ｃｈｉｐ）によって行われることを特徴とする請求項７に記載のデバイス。
【請求項１２】
第１デバイスおよび第２デバイスを含むディスプレイ装置において、
前記第２デバイスは、複数の映像信号を受信する信号受信部と、前記複数の映像信号を変調して一つの統合信号で出力する信号変調部を含み、
前記第１デバイスは、前記信号変調部から出力される統合信号を受信して前記複数の映像信号に復調する信号復調部と、前記複数の映像信号を処理する映像処理部と、前記処理された映像信号の中で少なくとも一つに基づいて映像を表示するディスプレイ部と、を含むことを特徴とするディスプレイ装置。
【請求項１３】
前記統合信号はシリアル高速通信によって受信されることを特徴とする請求項３に記載のディスプレイ装置。
【請求項１４】
前記統合信号はシリアル高速通信によって転送されることを特徴とする請求項９に記載のデバイス。
【発明の詳細な説明】
【技術分野】
【０００１】
本発明は、ディスプレイ装置およびその制御方法に係り、さらに詳しくは、複数の映像信号を変調し復調してシリアル高速通信で送信できるディスプレイ装置およびその制御方法に関する。
【背景技術】
【０００２】
一般的に、ディスプレイ装置は外部から信号が提供されて映像および音声信号を出力する装置である。最近はディスプレイ装置にＤＶＤプレーヤー、コンピュータ、ＵＳＢ装置またはオーディオシステムのような多様な外部機器が連結されてその活用性が増大されている。
【０００３】
したがって、ディスプレイ装置はＤＶＤ／ＢＤプレーヤー、コンピュータ、ＵＳＢ装置、またはオーディオシステムのような外部機器が接続されるようにそれぞれの規格に合う入力ポートが全部備わっていなければならない。
【発明の概要】
【発明が解決しようとする課題】
【０００４】
従って、本発明の目的は、複数の映像信号を変調し復調してシリアル高速通信で送信できるディスプレイ装置およびその制御方法を提供することを目的とする。
【課題を解決するための手段】
【０００５】
本発明の一側面によるディスプレイ装置は複数の映像信号を受信する信号受信部と；複数の映像信号を変調して一つの統合信号で出力する信号変調部と；出力される統合信号を受信して複数の映像信号に復調する信号復調部と；複数の映像信号を処理する映像処理部と；処理された映像信号の中で少なくとも一つに基づいて映像を表示するディスプレイ部と；を含む。
【０００６】
ディスプレイ装置は信号復調部、映像処理部およびディスプレイ部が設けられる第１デバイスと；信号受信部および信号変調部が設けられる第２デバイスを含み、第１デバイスと第２デバイスは相互分離可能で、統合信号の送信のためのケーブルで連結されることができる。
【０００７】
ディスプレイ装置は信号復調部、映像処理部およびディスプレイ部が設けられる第１デバイスと；信号受信部および信号変調部が設けられる第２デバイスを含み、第１デバイスと第２デバイスは相互分離可能で、統合信号の送信のために互いに無線通信を遂行できる。
【０００８】
統合信号は第１デバイスと第２デバイスの間でシリアル高速通信によって転送されることができる。
【０００９】
信号変調部と信号復調部は各々シリアライザ／デシリアライザ  チップ（ＳｅｒＤｅｓ  ｃｈｉｐ）からなることができる。
【００１０】
ディスプレイ部は処理された複数の映像信号を同時に表示することができる。
【００１１】
本発明の一側面によるディスプレイ装置の制御方法は複数の映像信号を受信する段階と；複数の映像信号を変調して一つの統合信号で出力する段階と；信号変調部から出力される統合信号を受信して複数の映像信号に復調する段階と；複数の映像信号を処理する段階と；処理された映像信号の中で少なくとも一つに基づいて映像を表示する段階と；を含む。
【００１２】
ディスプレイ装置は統合信号を受信して複数の映像信号に復調し、複数の映像信号を処理し、処理された映像信号の中で少なくとも一つに基づいて映像を表示する第１デバイスと；複数の映像信号を受信し変調して一つの統合信号で出力する第１デバイスを含み、第１デバイスと第２デバイスは相互分離可能で統合信号の送信のためのケーブルで連結することができる。
【００１３】
ディスプレイ装置は統合信号を受信して複数の映像信号に復調し、複数の映像信号を処理し、処理された映像信号の中で少なくとも一つに基づいて映像を表示する第１デバイスと；複数の映像信号を受信して変調して一つの統合信号で出力する第１デバイスを含み、第１デバイスと第２デバイスは相互分離可能で、統合信号の送信のために互いに無線通信を遂行できる。
【００１４】
統合信号は第１デバイスと第２デバイスの間でシリアル高速通信によって転送されることができる。
【００１５】
変調と復調はシリアライザ／デシリアライザ（ＳｅｒＤｅｓ  ｃｈｉｐ）によって行われることができる。
【００１６】
処理された映像信号の中で少なくとも一つに基づいて映像を表示する段階は処理された複数の映像信号を同時に表示することができる。
【発明の効果】
【００１７】
前述のように、本発明の一実施形態によるディスプレイ装置およびその制御方法は、連結された外部機器から入力される複数の映像信号を変調し復調してシリアル高速通信で送信することによって、信号線を簡素化することができて距離制約から自由になることができる。
【図面の簡単な説明】
【００１８】
【図１】本発明の一実施形態によるディスプレイ装置を概略的に示すブロック図である。
【図２】図１のディスプレイ装置の第１デバイスと第２デバイスがケーブルで連結される一例を概略的に示す図である。
【図３】本発明の他の実施形態によるディスプレイ装置を概略的に示すブロック図である。
【図４】図３のディスプレイ装置の第１デバイスと第２デバイスが無線で連結される一例を概略的に示す図である。
【図５】本発明の一実施形態による第２デバイスの信号受信部と信号変調部の一例を概略的に示すブロック図である。
【図６】本発明の一実施形態によるディスプレイ装置の具体的な内部構成の一例を概略的に示す図である。
【図７】本発明の一実施形態によるディスプレイ装置の制御方法を概略的に示すフローチャートである。
【発明を実施するための形態】
【００１９】
以下、添付図を参照して本発明に対して詳しく説明する。以下の実施形態では、本発明の思想と直接的に関連のある構成に対してだけ説明し、その他の構成に対しては説明を省略する。しかし、本発明の思想が適用された装置またはシステムを具現することにおいて、このように説明が省略された構成が不必要を意味することではないことを明らかにする。
【００２０】
以下、添付した図面を参考して、本発明の実施形態に対して本発明の属する技術分野で通常の知識を有する者が容易に実施きるように詳細に説明する。本発明はいろいろ異なる形態で具現されることができてここで説明する実施形態に限定されない。本発明を明確に説明するために説明と関係ない部分は省略し、明細書全体を通じて同一または類似の構成要素に対しては同じ参照符号を付けるようにする。
【００２１】
図１は本発明の一実施形態によるディスプレイ装置を概略的に示すブロック図である。図１に示すように、本発明の一実施形態によるディスプレイ装置１は映像を表示するための第１デバイス１０と、外部機器（図示せず）から映像信号が入力される第２デバイス２０を含む。
【００２２】
第２デバイス２０は外部機器（図示せず）から複数の映像信号を受信する信号受信部２１と；複数の映像信号を変調して一つの統合信号で出力する信号変調部２３を含む。第２デバイス２０の構成は図５と図６を参照してさらに詳しくに説明する。
【００２３】
第１デバイス１０は信号変調部２３から出力される統合信号を受信して複数の映像信号に復調する信号復調部１３と；複数の映像信号を処理する映像処理部１５と；処理された映像信号の中で少なくとも一つに基づいて映像を表示するディスプレイ部１７と；を含む。
【００２４】
付加的に第１デバイス１０は音声信号を処理する音声信号処理部（図示せず）をさらに含め、前記音声信号が出力されるスピーカー（図示せず）をさらに含むことができる。
【００２５】
また、ディスプレイ部１７は本発明の一実施形態として、ＣＲＴ、ＬＣＤまたはＰＤＰパネルのような多様な表示パネルを含む。
【００２６】
図２は図１のディスプレイ装置１の第１デバイス１０と第２デバイス２０がケーブル３０で連結される例を概略的に示す図である。図２に示すように、信号復調部１３、映像処理部１５およびディスプレイ部１７が設けられる第１デバイス１０と；信号受信部２１および信号変調部２３が設けられる第２デバイス２０は相互分離可能で、統合信号の送信のためのケーブル３０で連結されている。
【００２７】
ここで、ケーブル３０は複数の映像信号でない単一の統合信号の送信のためのもので、連結された外部機器（図示せず）の個数に対応せず一つで設けられる。このように、単一のケーブル３０で第１デバイス１０と第２デバイス２０が連結されるので、連結された外部機器（図示せず）の個数に比例して信号線が複雑に増加された従来の問題を解決することができて、ディスプレイ装置１の外観を簡潔にすることができる。また、外部機器（図示せず）が連結される第２デバイス２０が第１デバイス１０から分離されるので、ディスプレイ装置１は第１デバイス１０と外部機器（図示せず）との間の距離制約から自由になる。
【００２８】
一方、本発明は第１デバイス１０と第２デバイス２０を連結するための構成としてケーブル３０に限定されない。例えば、第１デバイス１０と第２デバイス２０はケーブル３０なしに無線３０’で連結されることもできる。
【００２９】
図３は本発明の他の実施形態によるディスプレイ装置１を概略的に示すブロック図である。図３は図１と比較して、第１デバイス１０と第２デバイス２０がケーブル３０なしに無線３０’で連結されること以外には同一である。
【００３０】
図４は図３のディスプレイ装置の第１デバイスと第２デバイスが無線３０’で連結される一例を概略的に示す図である。図４に示すように、信号復調部１３、映像処理部１５およびディスプレイ部１７が設けられる第１デバイス１０と；信号受信部２１および信号変調部２３が設けられる第２デバイス２０は相互分離可能で、統合信号の送信のために無線通信３０’を遂行する。
【００３１】
第１デバイス１０と第２デバイス２０が無線方式３０’で連結される場合、各々無線連結のための送受信モジュールを含むことができる。送受信モジュールは外部配置される外部アンテナ方式で設けられることができて、内部に配置される内部アンテナ方式で設けられることもできる。例えば、送受信モジュールはブルートゥースに基づいて製作されることができる。
【００３２】
一方、外部機器（図示せず）はＤＶＤプレーヤー、ＢＬプレーヤー、コンピュータ、ＵＳＢ機器、ＨＤＭＩ機器、セットトップボックス、オーディオシステム、などのようにディスプレイ装置１に連結されて信号をディスプレイ装置１に入力できることならば特別に限定しない。
【００３３】
したがって、外部機器（図示せず）から信号が入力されるために設けられる第２デバイス２０の信号受信部２１は多様な入力インターフェース（図５参照）を含むことができる。
【００３４】
図５は本発明の一実施形態による第２デバイス２０の信号受信部２１と信号変調部２３の一例を概略的に示すブロック図である。図５に示すように、第２デバイス２０の信号受信部２１はＨｉｇｈ  Ｄｅｆｉｎｉｔｉｏｎ  Ｍｕｌｔｉｍｅｄｉａ  Ｉｎｔｅｒｆａｃｅ（ＨＤＭＩ（登録商標））入力のためのインターフェース２１１、Ａｕｄｉｏ／Ｖｉｄｅｏ、ＣＯＭＰＯＮＥＮＴまたはＳｙｎｄｉｃａｔ  ｄｅｓ  Ｃｏｎｓｔｒｕｃｔｅｕｒｓ  ｄ’Ａｐｐａｒａｅｉｌｓ  Ｒａｄｉｏｒｅｃｅｐｔｅｕｒｓ  ｅｔ  Ｔｅｌｅｖｉｓｅｕｒｓ（ＳＣＡＲＴ）入力のためのインターフェース２１２、ヘッドフォンまたは光入力のためのインターフェース２１３、チューナー入力のためのインターフェース２１４、Ｕｎｉｖｅｒｓａｌ  Ｓｅｒｉａｌ  Ｂｕｓ（ＵＳＢ）入力のためのインターフェース２１５およびＬｏｃａｌ  Ａｒｅａ  Ｎｅｔｗｏｒｋ（ＬＡＮ）入力のためのインターフェース２１６を含む。
【００３５】
また、第２デバイス２０の信号復調部２３はシリアライザ／デシリアライザ（ＳｅｒＤｅｓ  ｃｈｉｐ）、２３１をさらに含む。シリアライザ／デシリアライザ（ＳｅｒＤｅｓ  ｃｈｉｐ）、２３１は複数の入力信号をシリアル（Ｓｅｒｉａｌ）高速通信のための一つの信号で統合するために利用される。
【００３６】
このように本発明によると、外部機器（図示せず）から入力される複数の入力信号を一つの統合信号に変換することによって、シリアル高速通信を遂行することができる。
【００３７】
このように、シリアル高速通信を遂行すれば、複数の入力信号を同時に第２デバイス２０から第１デバイス１０に送信することが可能である。
【００３８】
即ち、外部機器（図示せず）から複数の入力信号が第２デバイス２０を通じて一つの統合信号で入力された第１デバイス１０は複数の映像を同時に処理して表示することができる。
【００３９】
以下、第２デバイス２０で行われる信号変換の具体的な例を図６を参照して説明する。
【００４０】
図６は本発明の一実施形態によるディスプレイ装置の具体的な内部構成の一例を概略的に示す図である。
【００４１】
ＨＤＭＩ入力のためのインターフェース２１１の場合、Ｔｒａｎｓｉｔｉｏｎ  Ｍｉｎｉｍｉｚｅｄ  Ｄｉｓｐｌａｙ  Ｓｉｇｎａｌｉｎｇ（ＴＭＤＳ）信号が入力されれば変換チップ２３９（ＨＤＭＩ  ＲＸチップ）でＴｒａｎｓｉｓｔｏｒ  ｔｏ  Ｔｒａｎｓｉｓｔｏｒ  Ｌｏｇｉｃ（ＴＴＬ）信号に変換する。
【００４２】
ＡＶ、ＣＯＭＰＯＮＥＮＴまたはＳＣＡＲＴ入力のためのインターフェース２１２の場合、変換チップ２３９、デコーダーチップで入力信号（ＣＶＢＳ／ＳＩＦ）をＬｏｗ  ｖｏｌｔａｇｅ  ｄｉｆｆｅｒｅｎｔｉａｌ  ｓｉｇｎａｌｉｎｇ（ＬＶＤＳ）信号に変換する。
【００４３】
ヘッドフォンまたは光入力のためのインターフェース２１３の場合、変換チップ２３９、デコーダーチップで入力信号をＩ２ＳまたはＳｏｎｙ  Ｐｈｉｌｉｐｓ  Ｄｉｇｉｔａｌ  Ｉｎｔｅｒｆａｃｅ（ＳＰＤＩＦ）信号に変換する。
【００４４】
チューナー入力のためのインターフェース２１４の場合、Ｃｏｍｐｏｓｉｔｅ  Ｖｉｄｅｏ  Ｂａｎｋｉｎｇ  Ｓｙｎｃ（ＣＶＢＳ）／Ｓｏｕｒｃｅ  Ｉｎｔｅｒｍｅｄｉａｔｅ  Ｆｏｒｍａｔ（ＳＩＦ）信号は変換チップ２３９、デコーダーチップで変換され、Ｔｒａｎｓｐｏｒｔ  Ｓｔｒｅａｍ（ＴＳ）信号は変換過程なし転送される。
【００４５】
ＵＳＢ入力のためのインターフェース２１５の場合、変換チップ２３９で入力信号をＴＴＬ信号に変換する。
【００４６】
ＬＡＮ入力のためのインターフェース２１６の場合にも変換チップ２３９を利用して変換する。
【００４７】
このように、第２デバイス２０ではシリアル高速通信を遂行するためにアナログ入力信号をデジタル信号に変換する動作を遂行し、変換された複数のデジタル信号はシリアライザ／デシリアライザ２３１を通じて一つの統合信号に変調される。
【００４８】
また、第１デバイス１０の信号復調部１３は信号変調部２３から出力される統合信号を受信して再び複数の映像信号に復調する。
【００４９】
次に、映像処理部１５は復調された複数の映像信号を処理し、ディスプレイ部１７は処理された映像信号の中で少なくとも一つに基づく映像を表示する。この時、ディスプレイ部１７は複数の映像信号を同時に表示することができる。
【００５０】
一方、本発明の一実施形態によるディスプレイ装置１の制御方法を図７を参照して説明する。
【００５１】
図７は本発明の一実施形態によるディスプレイ装置１の制御方法を概略的に示すフローチャートである。まず、ディスプレイ装置１は第２デバイス２０に連結された外部機器（図示せず）から複数の映像信号を信号受信部２１を通じて受信するＳ１０。
【００５２】
信号受信部２１を通じて受信された複数の映像信号は第２デバイス２０の信号変調部２３を通じて変調されて、一つの統合信号で出力されるＳ２０。
【００５３】
それで、第２デバイス２０とケーブル３０を通じてまたは無線方式３０’で連結された第１デバイス１０の信号復調部１３は信号変調部２３から出力される統合信号を受信して再び前記複数の映像信号に復調するＳ３０。
【００５４】
復調された複数の映像信号は第１デバイス１０の映像処理部１５で処理されＳ４０、前記処理された映像信号の中で少なくとも一つに基づいて少なくとも一つの映像がディスプレイ部１７に表示されるＳ５０。
【００５５】
前述のように、本発明の一実施形態によるディスプレイ装置およびその制御方法は連結された外部機器から入力される複数の映像信号を変調し復調してシリアル高速通信で送信することによって、信号線を簡素化することができて距離制約から自由になる。
【００５６】
たとえ本発明のいくつかの実施形態が図示され説明されたが、本発明の属する技術分野の通常の知識を有する当業者ならば、本発明の原則や精神に外れなく本実施形態を変形することができる。発明の範囲は添付された請求項とその均等物によって定められる。
【符号の説明】
【００５７】
１０  第１デバイス
１３  信号復調部
１５  映像処理部
１７  ディスプレイ部
２０  第２デバイス
２１  信号受信部
２３  信号変調部
【図１】
2014147061.tif 000003
【図２】
2014147061.tif 000004
【図３】
2014147061.tif 000005
【図４】
2014147061.tif 000006
【図５】
2014147061.tif 000007
【図６】
2014147061.tif 000008
【図７】
2014147061.tif 000009